(57)【要約】【課題】従来の固定式自転車トレーニング装置では、負荷の強度が増大するに伴って、急激にペダルの回転数が落ち、屋外と同様のトレーニングができなくなる。【解決手段】本発明による固定式自転車トレーニング装置はクランクの回転力が変速機を介して回転負荷装置に伝達される構造である。変速機の変速比を調整することによって、回転負荷装置による負荷の強度によらず好ましいペダルの回転数でトレーニングできる。  また、回転負荷装置の中心軸にクラッチ機構を設けることにより、駆動関連の機構を簡単にすることができると共に、クラッチ音を小さくできる。更に、フレーム内の前側支柱を任意に持ち上げる機構を備え、フレームに傾斜を付けることにより室内で坂道走行と同様の筋力アップのトレーニングができる。回転負荷装置を駆動ギヤよりも前方に設けることにより、装置をコンパクトにできると共に、重心が前方にあるので前側支柱を持ち上げても安定状態を保てる。【選択図】    図１
2006289022.tif 000002
【特許請求の範囲】
【請求項１】
床に設置された固定台の上に配置されたフレームと、前記フレームの上方の前後に、それぞれ取り付けられたハンドルとサドルと、前記フレームの下部の側面を両側に貫通させたクランク軸と、前記クランク軸の両端に取り付けられた足踏みペダル付きのクランクと、回転負荷装置と、クランクの回転力を回転負荷装置に伝達ための伝達手段とから構成されるトレーニング自転車において、前記クランクの回転力が変速機に伝達された後、変速機の中心軸と同軸に接続された回転負荷装置に伝達される構造であって、回転負荷装置による負荷の強度によらず好ましいペダルの回転数でトレーニングできることを特徴とする固定式自転車トレーニング装置。
【請求項２】
前記変速機が回転負荷装置の中心軸に接続された歯数の異なる複数個の歯車を同軸形状に連結してなる従動側ギヤと、変速レバーを操作することによって前記従動側ギヤの近傍でチェーンに横方向の力を作用させ、チェーンを架ける歯車を変更するための従動側ディレーラとからなることを特徴とする請求項１に記載の固定式自転車トレーニング装置。
【請求項３】
前記変速機がクランク軸の中心軸に接続された歯数の異なる複数個の歯車を同軸形状に連結してなる駆動側ギヤと、回転負荷装置の中心軸に接続された歯数の異なる複数個の歯車を同軸形状に連結してなる従動側ギヤと、駆動側の変速レバーを操作することによって前記駆動側ギヤの近傍のチェーンに横方向の力を作用させ、チェーンを架ける歯車を変更するための駆動側ディレーラと、従動側の変速レバーを操作することによって前記従動側ギヤ近傍のチェーンに横方向の力を作用させ、チェーンを架ける歯車を変更するための従動側ディレーラとからなることを特徴とする請求項１に記載の固定式自転車トレーニング装置。
【請求項４】
前記回転負荷装置の中心軸にクラッチ機構が設けられていることを特徴とする請求項１乃至請求項３に記載の固定式自転車トレーニング装置。
【請求項５】
前記回転負荷装置が足踏みペダルの前方に取り付けられていることを特徴とする請求項１乃至請求項４に固定式自転車トレーニング装置。
【請求項６】
前記ハンドルが回転に対して、その軸が制動機構を有するようにハンドル支持体に回転可能に取り付けられていることを特徴とする請求項１乃至請求項５に記載の固定式自転車トレーニング装置。
【請求項７】
前記制動機構が外側パイプと、前記外側パイプに挿入されたハンドルの軸と、前記ハンドルの軸に取り付けられたベアリングとゴムパッキンからなり、外側パイプの上端および下端、または上端または下端のいずれかに取り付けた締め付けねじからなり、締め付けねじを調節することによりハンドルの回転に対する制動作用を可変にしたことを特徴とする請求項６に記載の固定式自転車トレーニング装置。
【請求項８】
縦方向のベースバーと、ベースバーの下面の前後に横方向に取り付けられた支持板と、各支持板の両端に取り付けられた弾力性のある台座からなることを特徴とする固定式自転車トレーニング装置用固定台。
【請求項９】
前記台座がコイルバネを内蔵していることを特徴とする請求項８に記載の固定式自転車トレーニング装置用固定台。
【請求項１０】
前記フレームを形成する前側支柱に並立し、前側支柱と接合された可動支柱を備え、可動支柱の高さを使用者のトレーニング目標に応じて変えられることを特徴とする請求項１乃至請求項７に記載の固定式自転車トレーニング装置。
【請求項１１】
前記可動支柱の下端および後側支柱の下端が、前後に回転可能な台座上に配置されていることを特徴とする請求項１０に記載の固定式自転車トレーニング装置。
【請求項１２】
前記可動支柱の下端および後側支柱の下端が、前後に回転可能で、且つ弾力性のある台座上に配置されていることを特徴とする請求項１０に記載の固定式自転車トレーニング装置。
【発明の詳細な説明】
【技術分野】
【０００１】本発明はペダル踏み動作のトレーニングを行う固定式自転車トレーニング装置に関する。
【背景技術】
【０００２】  自転車の形状をなし、操作部材としての足踏みペダルを回転させることにより、脚力、背部および腹部の筋力を高める固定式自転車トレーニング装置がある。ペダルが設けられたクランク軸の回転力がチェーンまたはベルトを介して、ペダルに負荷を与えるための回転負荷装置に伝達される。ハンドルには表示パネルが備えてあり、トレーニングの状態、つまり回転数、時速、経過時間、消費カロリー、負荷の強さ等が表示される。また、負荷の強さを調節するためのレバーまたはダイヤルが表示パネルの近傍に備えられている。【０００３】回転負荷装置には摩擦抵抗を利用した機械式のものと、電磁石と回転する金属板からなり、磁界中で金属板が回転した時に生じる渦電流と磁界による電気制動を利用した電磁式のものがある。電磁石と金属板とのギャップを調節することにより負荷の大きさを調節する。電磁式のものは非接触であるので、騒音が少なく長寿命であり、この種の装置の主流になっている。【０００４】回転力をクランク軸から回転負荷装置に伝達する手段としては、騒音の面からプーリーとベルトからなるベルト伝動方式、または通常の自転車のようにチェーン伝達方式がある。ベルト伝達方式は騒音が少ないことが長所であるが、ベルトの滑りを防ぐことが課題である。他方、チェーン伝達方式の場合、滑りは無いが歯車とチェーンとの噛み合わせに伴って騒音が出るのが欠点である。【０００５】屋外で使用する多段の変速装置を備えたスポーツタイプの乗用自転車は実用化されている。また、屋内で使用する試乗用の自転車にも多段の変速装置を備えたものがある。前者、後者ともにペダルの駆動トルクを変速して後輪に伝達する後輪駆動タイプである。純粋に固定式トレーニング用自転車で変速機付きのものは無い。また、屋内でのトレーニングで屋外と同様の筋力トレーニングができ、屋外のような臨場感を得るために、ペダルの踏み圧に従ってハンドルが前後に揺動するトレーニング自転車が特許文献１に記載されている。しかしながら、この場合、ハンドルが前後に揺動するのみで、登坂、降坂時のようにフレームを傾ける機構はない。【０００６】
【特許文献１】特開平７−３０３７１４号公報
【発明の開示】
【発明が解決しようとする課題】
【０００７】トレーニング装置は室内で使用されるため、一般に負荷が自在に変えられ、メンテナンスの頻度が少ないこと、騒音が少ないこと等が求められるが、屋外走行でのトレーニングと同様の筋力トレーニングが快適にできることが更に必要である。【０００８】従来の固定式自転車トレーニング装置はペダル踏み運動による回転力がベルト、或いはチェーン等によって一定の変速比で回転負荷装置の歯車或いはホイールに伝達されるが、回転負荷装置自体は負荷の強さを細かく、且つリニアに変更することが困難である。よって、負荷が強くなると急激にペダルが重くなりクランクの回転数が低下する。そして、回転数があまり低下するとペダル踏み力が低下し、更に回転数が低下する。【０００９】その結果、屋外走行によるトレーニングに比べて、なだらかに負荷を強くすることが困難であって、登坂トレーニングや高負荷での持久力のトレーニングが困難であった。この原因はペダル踏み運動によるクランクの最適回転数は、使用者により個人差があるが平均的には９０回／分であり、負荷の大、小によらず最適の回転数でトレーニングできれば、最も快適に長時間のトレーニングをすることができる。【００１０】更に、自転車トレーニング装置は基本的にフレーム、ハンドルは固定されていて、乗り心地は屋外での常用またはトレーニング用自転車と異なる。よって、屋外走行によるトレーニングと同様のバランス感覚および筋力トレーニング効果を得ることができない。また、自転車トレーニング装置はトレーニングが目的であるが、長時間にわたって楽しくトレーニングをするために、屋外でのトレーニング自転車またはマウンテンバイクと同様の揺れやスピード感などの臨場感が得られることが必要である。【００１１】本願は以上の諸課題を解決するものであり、室内にいて、屋外走行と同様の筋力トレーニングを快適にできること、および持久力をつけるトレーニングが可能な固定式自転車トレーニング装置を提供するものである。
【課題を解決するための手段】
【００１２】  本願における固定式自転車トレーニング装置は、床に設置された固定台の上に配置されたフレームと、前記フレームの上方の前後に、それぞれ取り付けられたハンドルとサドルと、前記フレームの下方の側面を両側に貫通させたクランク軸と、前記クランク軸の両端に取り付けられた足踏みペダル付きのクランクと、回転負荷装置と、クランクの回転力を回転負荷装置に伝達ための伝達手段とから構成されるトレーニング自転車において、前記クランクの回転力が変速機を介して回転負荷装置に伝達される構造である。それによって、回転負荷装置による負荷の強度が増大しも、好ましいペダルの回転数でトレーニングできるように変速比を調整できる。【００１３】そこで、ペダルの回転力を回転負荷装置に伝達する機構は所望の歯数の駆動側ギヤと、歯数が異なり同軸形状に連結した複数個の歯車からなる従動側ギヤと、前記駆動側ギヤと前記従動側ギヤに巻き付けたチェーンと、前記従動側ギヤ近傍に取り付けられた従動側ディレーラとからなる。従動側ディレーラにより変速レバーから変速ワイヤを介してチェーンに横方向の力を作用させることによって、チェーンを架ける従動側ギヤの歯車を変更して変速比を変えることができる。【００１４】更に、駆動側ギヤを歯数が異なる複数個の歯車を同軸形状に連結した構成として、駆動側ディレーラによってチェーンを架ける歯車を変更することによって、駆動側ギヤと従動側ギヤの歯車の選択し、より細かいステップで、且つ幅広いレンジで変速することができる。【００１５】前記回転負荷装置の回転軸にクラッチ機構を設けることにより、駆動関連の機構を簡単にすることができると共に、クラッチ音を小さくできる。更に、前記回転負荷装置を駆動側ギヤの前方に取り付けることにより、固定式自転車トレーニング装置をコンパクトにできる。従来の後輪駆動タイプの屋外用トレーニング自転車および屋内での試乗用自転車はペダルよりも後方に駆動輪を配置した後輪駆動タイプであり、全長が約１８０ｃｍであるが、回転負荷装置をペダルよりも前方に配置することにより、全長が約９０ｃｍにでき、極めてコンパクトにできる。【００１６】更に、本願における固定式自転車トレーニング装置は、ハンドルの軸が回転に対して制動機構を具備してハンドル支持体に回転可能に取り付けられている。それにより、屋外走行と同様に、ハンドルを左右に動かすことによってバランスを取りながら実走行に近いトレーニングができる。【００１７】更に、固定式自転車トレーニング装置を縦方向のベースバーと、ベースバーの下面の前後に横方向に取り付けられた支持板と、各支持板の両端に取り付けられた弾力性のある台座からなる固定台に取り付けることにより、実走行に近い筋力トレーニングを快適に行うことができる。【００１８】更に、前記フレーム内の前側支柱を任意に持ち上げる機構を備え、フレームに傾斜を付けることにより室内で坂道走行と同様の筋力アップのトレーニングができる。付随する部材の中で、重量の大きい回転負荷装置を足踏みペダルの前方に取り付け、重心は前側にあるので、前側支柱を持ち上げても装置のバランスが崩れない。
【発明の効果】
【００１９】  本発明による固定式トレーニング自転車は歯車付きの駆動側ギヤの回転力を複数個の歯車を同軸形状に連結してなる従動側ギヤに伝達することにより、クランクの回転力が変速機能を付けて回転負荷装置に伝達しているので、負荷の強度が変化しても、好ましいペダルの回転数を維持でき、快適に屋外走行と同様の筋力トレーニングを可能にするものである。更に、前側支柱に取り付けた可動支柱を持ち上げることにより、坂道トレーニングを室内でできる。
【発明を実施するための最良の形態】
【００２０】  本発明の実施の形態について図面を参照しながら説明する。【００２１】（実施の形態１）
図１は本発明の実施の形態１における固定式自転車トレーニング装置の側面図である。固定台１上に一対の支柱２、３を含むフレーム４が配設されている。支柱２、３およびフレーム４は金属パイプ製であり、相互に溶接により接合されている。前側支柱２は前方から見たとき逆Ｕ字形であって、その上端にはハンドル５がハンドル支持体６を介して伸縮可能、回転可能に取り付けられている。後側支柱３に接続されたフレーム４上には、サドル７が伸縮可能に取り付けられている。前側支柱２と後側支柱３を斜めに接続しているフレーム４の下方に取り付けた固定金具（図示せず）を左右に貫通してクランク軸８が取り付けられ、クランク軸８には駆動側ギヤ９がクランク軸８と共に回転するように取り付けられ、クランク軸８の両側の突出部にはクランク１０および足踏みペダル１１が取り付けられている。【００２２】足踏み動作によって発生した回転力は駆動側ギヤ９からチェーン１２により同軸形状に連結した複数個の歯車からなる従動側ギヤ１３に伝達される。そこで、従動側ギヤ１３の近傍に取り付けられた従動側ディレーラ１４により変速レバー１５から変速ワイヤ１６を介してチェーン１２に横方向の力を作用させ、チェーン１２を架ける従動側ギヤ１３の歯車を変更することにより変速比を変えることができる。そして、従動側ギヤ１３の回転軸には足踏み動作に対して負荷機能を与えるための回転負荷装置１７の回転軸が取り付けられている。回転負荷装置１７の負荷の強さを調整するための制動レバー１８がハンドル５の上部に取り付けられている。制動レバー１８を引き込むと、その力が制動ワイヤ１９を通じて回転負荷装置１７に伝達されて負荷の強さが大きくなる。【００２３】使用者によって多少の個人差はあるが、最も快適にトレーニングできるペダル１１の回転数は約９０回／分であり、変速比を変えることによりその近傍のペダル回転数を維持しつつ、種々の回転負荷に対応したトレーニングを行うことができる。【００２４】図２は実施の形態１におけるもう一つの固定式自転車トレーニング装置の側面図である。図１における構成部材と同一の構成部材には同一の符号を付け、その説明を省略する。駆動側ギヤ９が同軸形状に連結された複数個の歯車からなっていて、チェーン１２を架ける歯車を切り換えるために駆動側ギヤ９の近傍に駆動側ディレーラ２０を備えていて、変速レバー２１を操作すると変速ワイヤ２２を介してチェーン１２に横方向の力が作用し、チェーン１２を架ける駆動側ギヤ９の歯車が切り換えられて変速比を変えることができる。この構造にすることにより、駆動側ギヤ９と従動側ギヤ１３の両方の歯車の選択によって、より細かいステップで、且つ幅広いレンジで変速することができる。その結果、より快適に筋力および持久力のトレーニングが可能になる。【００２５】従来の固定式自転車トレーニング装置では、登坂トレーニングのために負荷の強さを増大するに伴って、より強い足踏みトルクが必要になり、次第にペダル１１の回転数が減少し、遂にペダル１１を回転できなくなる。つまり、ペダル１１を回転できなくなる負荷がトレーニングできる負荷の強さの上限であり、トレーニングできる負荷の範囲が狭く、また負荷量を一定のピッチで大きくすることができないことが従来の自転車トレーニング装置の欠点である。【００２６】一方、従来の屋外用のトレーニング用自転車では、ペダルを回転させることによるフロントギヤの回転トルクが複数枚の歯車からなるリヤギヤに伝達され、リヤギヤと同軸に取り付けられた後輪へ伝達される。この構造の場合、登坂トレーニングにおいて、後輪の負荷が大きくなったとき、リヤディレーラにより変速比を使用者自身に合った変速比に随時、変更することによって滑らかに登坂することができる。つまり、坂道の勾配が大きくなったとき、変速比を小さくすることにより、ペダルの回転数を極度に減らすことなく登坂することができる。登坂トレーニングのために負荷の強さを増大するに伴って、リヤディレーラより変速比を落とすことにより、足踏みトルクをアップさせる代わりに、ペダルの回転数の増大させることにより負荷の増大分を補っている。従って、使用者自身にとって好ましい足踏みトルクを維持しつつ、より強い回転負荷量までトレーニングすることができる。また、変速比を１段づつ変えることにより、変速機能が無い場合よりも、回転負荷量の増大は滑らかになると共に、トレーニングできる負荷の強さの上限も大きくなる。【００２７】固定式トレーニング用自転車は室内で使用されるために、騒音が小さいことが求められるが、本実施の形態では、クラッチが回転負荷装置１７の回転軸とフライングホイールとの間に取り付けられていて、この部分は外部から遮蔽されているので、外部にクラッチ音が出るのを抑えられる。【００２８】図３はハンドル５とハンドル支持体６との接続部の拡大図である。両端にベアリング２３を備えたハンドルの軸２４がパイプ状の支持体６に挿入されると共に、支持体６の上端にねじ切りをした蓋部２５を備え、この蓋部２５とベアリング２３の側面との間にゴムパッキン２６を挿入している。蓋部２５のねじを回転させることにより、ゴムパッキン２６に加わる応力が変動し、ゴムパッキンが歪み、ハンドル５に対する制動力を調節することができる。よって、本願による固定式自転車トレーニング装置によれば、屋内トレーニングにおいても、必要に応じてこのハンドルを動かした場合、ハンドルに実走行に近いハンドルの負荷が加わり臨場感に満ちたトレーニングをすることができる。【００２９】また、図示していないが、トレーニングの状態、つまり回転数、時速、経過時間、消費カロリー、負荷の強さ、変速比等を表示するための表示パネルをハンドル５の近傍に取り付けても良い。【００３０】図４は本発明の実施の形態１におけるトレーニング装置を固定するための固定台の平面図（Ａ）、およびＸ−Ｙ線で切断した場合の断面図（Ｂ）である。同図（Ａ）において、固定台は縦方向に金属製のベースバー３１と、ベースバー３１の下面の前後に、横方向に取り付けられた支持板３２と、各支持板３２の両端下面に取り付けられた弾力性のある台座３３からなる。支持板３２は金属やプラスティック製の板ばねを用い、横方向に揺動する構造にできる。前側の支持板３２には逆Ｕ字型の前側支柱を取り付けるために２個のビス穴を設けている。同図（Ｂ）において、ベースバー３１が支持板３２にビスによって固定され、支持板３２がコイルバネ３４を内蔵した台座３３に取り付けられている。【００３１】以上の説明のように、図４に示す固定台を固定式トレーニング装置に取り付けることにより、使用者が足踏みペダルを踏むとき、その力の強さ、体重の移動に反応して、固定台が変形してフレーム４、ハンドル５が左右に傾いたり、上下に変動したりするので、実際に屋外で、坂道を立ちこぎで登っているような感触を味わうことができる。【００３２】（実施の形態２）
図５は本発明の実施の形態２におけるトレーニング装置の側面図であって、駆動機構は実施の形態１と同様であるが、より臨場感を持って登坂トレーニングをすることができるように、フレーム４を前後により大きく傾ける機構を備えている点が実施の形態１と異なる。図１で用いた部材と同一または同様の部材には同一番号を付けて、その説明を省略する。【００３３】前側の支持体は前側支柱２と、前側支柱２に並列に直立して相互に接続された可動支柱４０とからなる。前側支柱２上には、ハンドル５がハンドル支持体６を介して伸縮可能、回転可能に取り付けられ、後側支柱３に接続したフレーム４上には、サドル７が伸縮可能に取り付けられている。後側支柱３および可動支柱４０の下端は回転軸を有する固定台５０に取り付けられている。足踏みペダル１１の回転力を回転負荷装置１７に伝達する機構は実施の形態１と同様であるので、その説明を省略する。【００３４】可動支柱４０はねじ付きシャフト４１と、ねじ付きシャフト４１が貫通する蓋部を備えた外側パイプ４２と、ねじ付き蓋４３を備えた内側パイプ４４からなり、外側パイプ４２は前側支柱２に固定されている。ねじ付きシャフト４１は外側パイプ４２の蓋上面にダイヤル４５を備え、蓋を貫通し、蓋の下方に固定ナット４６を備え、その下方で内側パイプ上面のねじ付き蓋４３にねじ込まれている。ダイヤル４５の回転を容易にするために、外側パイプ４２の蓋と固定ナット４６の間にベアリング４７が挿入されている。【００３５】ダイヤル４５を回転させることにより、外側パイプ４２および前側支柱２が上下に動き、フレーム４をトレーニングの目的に応じて所望の傾斜をつけることができる。例えば、水平距離１００ｍで１０ｍの登り、つまり１０％の登り勾配の坂道に相当する訓練のためには、前後の固定台４２間の距離を１００ｃｍとすると、可動支柱のダイヤルを回転させることにより１０ｃｍ持ち上げればよい。【００３６】本実施の形態では、フレーム４の前方を持ち上げるために、ねじ付きシャフトによる可動支柱４０を用いたが、空気圧によるジャッキを用いても同様の作用を得ることができる。また、上記の方法ではフレーム４の前方を持ち上げるために前側支柱２に加えて可動支柱４０を備えているが、前側支柱２を内側パイプと外側パイプの２重構造にして、前記可動支柱と同様の機構でフレーム前方を所望の高さだけ持ち上げることも可能である。【００３７】図６は本実施の形態２における固定台を示す。同図（Ａ）は前方から見た断面図であり、同図（Ｂ）は側方から見た断面図である。固定台５０は可動支柱４０および後方支柱３を回転可能に支持するものであり、前記支柱３，４０の下端は断面が凹状に成型され、その下端が固定台上の回転軸５１にはめ込まれている。回転軸５１は左右に固定台を貫通するように取り付けられている。固定台５０の下面にはコイルバネ３４を内蔵した台座５２が取り付けられている。【００３８】屋外での自転車トレーニングで、平坦道と登り坂とのトレーニングでは使う筋肉部位の比率が異なる。これは坂道を登るとき、自転車が傾斜して前方部分が上がることにより、平坦道の走行時にはあまり使わない筋肉部位が使われる。よって、本実施の形態は自転車の前方のハンドル部分を持ち上げ傾斜を付けることにより、実施の形態１の場合よりも、室内で坂道走行と同様の筋力アップのトレーニングを可能にするものである。また、足踏みペダルの動作において、体重移動させて坂道を立ちこぎで上っていくようなバランス感覚を養うことができる。
【産業上の利用の可能性】
【００３９】  本発明による固定式トレーニング自転車は、ペダルの回転トルクを変速機能を付けて回転負荷装置に伝達しているので、負荷の強度が変化しても、好ましいペダルの回転数を維持でき、快適に屋外走行と同様の筋力トレーニングを可能にするものである。更に、前側支柱に取り付けた可動支柱を持ち上げることにより、坂道トレーニングを室内でできる。
【図面の簡単な説明】
【００４０】
【図１】本発明の実施の形態１における固定式自転車トレーニング装置の側面図。
【図２】本発明の実施の形態１におけるもう一つの固定式自転車トレーニング装置の側面図。
【図３】ハンドルとハンドル支持体との接続部の拡大図。
【図４】実施の形態１におけるトレーニング装置を固定するための固定台。
【図５】実施の形態２におけるトレーニング装置の側面図
【図６】実施の形態２におけるトレーニング装置を固定するための固定台。
【符号の説明】
【００４１】１  固定台
２  前側支柱
３  後側支柱
４  フレーム
５  ハンドル
６  ハンドル支持体
７  サドル
８  クランク軸
９  駆動側ギヤ
１０  クランク
１１  足踏みペダル
１２  チェーン
１３  従動側ギヤ
１４、２１  変速レバー
１５  変速ワイヤ
１６  従動側ディレーラ
１７  回転負荷装置
１８  負荷制御レバー
１９  制御ワイヤ
２０  駆動側ディレーラ
２２  変速ワイヤ
２３  ベアリング
２４  ハンドルの軸
２５  ねじ付き蓋
２６  ゴムパッキン
３１  ベースバー
３２  支持板
３３  台座
３４  コイルバネ
４０  可動支柱
４１  ねじ付きシャフト
４２  外側パイプ
４３  ねじ付き蓋
４４  内側パイプ
４５  ダイヤル
４６  固定ナット
４７  ベアリング
５０  固定台
５１  固定台用回転軸
５２  台座
【図１】
2006289022.tif 000003
【図２】
2006289022.tif 000004
【図３】
2006289022.tif 000005
【図４】
2006289022.tif 000006
【図５】
2006289022.tif 000007
【図６】
2006289022.tif 000008